(57)【要約】【課題】施工費、部材費、設置スペースの低減および送風機の小型化が可能な分岐チャンバーを提供することを目的とする。【解決手段】一端側に接続される主ダクト３の内部と連通する風路８を形成するように設けられた主開口１０と、他端側に主開口１０と連通し２方向に分岐して設けられる分岐開口９ａ、９ｂとを有する本体１と、分岐開口９ａ、９ｂのそれぞれに配設されダクト６ａ、６ｂと接続されるダクト接続部７ａ、７ｂとを備え、ダクト接続部７ａ、７ｂそれぞれは本体１に対して回動するとともに、分岐開口９ａ、９ｂに対して傾いたダクト接続口７、１４を備えた分岐チャンバーの構成としたことにより、施工費、部材費、設置スペースの低減および送風機の小型化が可能となる。【選択図】図２
2005147503.tif 000002
【特許請求の範囲】
【請求項１】
一端側に接続される主ダクトの内部と連通する風路を形成するように設けられた主開口と、他端側に前記主開口と連通し少なくとも２方向に分岐して設けられる分岐開口とを有する本体と、前記分岐開口に配設されダクトと接続されるダクト接続部とを備え、前記ダクト接続部は前記本体に対して回動するとともに、前記分岐開口に対して傾いたダクト接続口を備えたことを特徴とする分岐チャンバー。
【請求項２】
主開口に主ダクトと接続するための主ダクト接続部を設け、前記主ダクト接続部は本体に対して回動するとともに、前記主開口に対して傾いた主ダクト接続口を備えたことを特徴とする請求項１記載の分岐チャンバー。
【請求項３】
ダクト接続部と分岐開口側の本体の接続部分に、フランジ部とこのフランジ部が回動自在に収納されるレール部とからなる回動手段を備えたことを特徴とする請求項１または２記載の分岐チャンバー。
【請求項４】
ダクト接続部に湾曲部を設け形成したことを特徴とする請求項１、２または３記載の分岐チャンバー。
【請求項５】
主ダクト接続部に湾曲部を設け形成したことを特徴とする請求項２記載の分岐チャンバー。
【請求項６】
本体、主ダクト接続部およびダクト接続部はそれぞれが発泡材で成形されたことを特徴とする請求項１、２、３、４または５記載の分岐チャンバー。
【発明の詳細な説明】
【技術分野】
【０００１】
本発明は、送風機、、換気装置、または空調装置にダクトを介して連通し、複数の部屋に空気を搬出、搬入するために用いられる分岐チャンバーに関する。
【背景技術】
【０００２】
従来、この種の分岐チャンバーは空気を搬送する主ダクト接続部の送風方向と複数のダクト接続部の送風方向が同一なものが知られている。
【０００３】
以下、その分岐チャンバーについて図５を参照しながら説明する。
【０００４】
図に示すように、主ダクト１０１を介し送風機（図示せず）と連通する主ダクト接続部１０２と、ダクト１０３ａおよびダクト１０３ｂを介し居室に設けた吹出しグリル（図示せず）と連通するダクト接続部１０４ａおよびダクト接続部１０４ｂと、一端には主ダクト接続部１０２を接続し、他端はダクト接続部１０４ａおよびダクト接続部１０４ｂを接続して、主ダクト接続部１０２内の風路１０５を２分岐させたダクト接続部１０４ａおよびダクト接続部１０４ｂと接続するＹ字形状の風路１０６を備えて本体１０７を構成し、主ダクト接続部１０２へ送風された空気は本体１０７で２風路に分配されるが、２個のダクト接続部１０４から同一方向へ送風される構成としていた。
【特許文献１】実開平１１−１８２９１９号公報
【発明の開示】
【発明が解決しようとする課題】
【０００５】
このような従来の分岐チャンバーでは、複数のダクト接続部１０４ａ、１０４ｂの送風方向が同一なため、送風方向と方角の異なる複数の居室へ送風する際、ダクト接続部１０４ａ、１０４ｂに接続されたダクト１０３ａ、１０３ｂを居室方向へ湾曲させて居室に設けた吹出しグリルに接続する必要があるので、ダクトの曲がりによりダクト長が増大し、ひいては圧力損失が増大して、消費電力、施工費、部材費、設置スペースが増大、および送風機の大型化という課題があった。
【０００６】
本発明は、このような従来の課題を解決するものであり、ダクト長やダクトの曲がりを最短にすることで消費電力、施工費、部材費、設置スペースの低減および送風機の小型化が可能な分岐チャンバーを提供することを目的としている。
【課題を解決するための手段】
【０００７】
本発明の分岐チャンバーは上記目的を達成するために、一端側に接続される主ダクトの内部と連通する風路を形成するように設けられた主開口と、他端側に前記主開口と連通し少なくとも２方向に分岐して設けられる分岐開口とを有する本体と、前記分岐開口に配設されダクトと接続されるダクト接続部とを備え、前記ダクト接続部は前記本体に対して回動するとともに、前記分岐開口に対して傾いたダクト接続口を備えたものである。
【０００８】
また、主開口に主ダクトと接続するための主ダクト接続部を設け、前記主ダクト接続部は本体に対して回動するとともに、前記主開口に対して傾いた主ダクト接続口を備えたものである。
【０００９】
また、ダクト接続部と分岐開口側の本体の接続部分に、フランジ部とこのフランジ部が回動自在に収納されるレール部とからなる回動手段を備えたものである。
【００１０】
また、ダクト接続部に湾曲部を設け形成したものである。
【００１１】
また、主ダクト接続部に湾曲部を設け形成したものである。
【００１２】
また、本体、主ダクト接続部およびダクト接続部はそれぞれが発泡材で成形されたものである。
【００１３】
本発明によれば、ダクト長やダクトの曲がりを最短にすることで消費電力、施工費、部材費、設置スペースの低減および送風機の小型化が可能な分岐チャンバーが得られる。
【発明の効果】
【００１４】
本発明によれば、消費電力、施工費、部材費、設置スペースの低減および送風機の小型化が可能な分岐チャンバーを提供することができる。
【発明を実施するための最良の形態】
【００１５】
本発明の請求項１記載の分岐チャンバーの発明は、一端側に接続される主ダクトの内部と連通する風路を形成するように設けられた主開口と、他端側に前記主開口と連通し少なくとも２方向に分岐して設けられる分岐開口とを有する本体と、前記分岐開口に配設されダクトと接続されるダクト接続部とを備え、前記ダクト接続部は前記本体に対して回動するとともに、前記分岐開口に対して傾いたダクト接続口を備えたことにより、ダクト接続部から居室に設けた吹出しグリルまでのダクト長やダクトの曲がりを最短にすることができるため、ダクト圧損が低減でき、ひいては施工費、部材費、設置スペースの低減および送風機の小型化が実現できるという作用を有する。また、ダクト接続部を回動させ主ダクト接続部と同方向に向けた場合、最小幅の形状になり、例えば居室の天井裏の根太同士の隙間に配置するなど限られた空間での使用にも適用できるという作用を有する。
【００１６】
また、請求項２記載の発明は、請求項１記載の分岐チャンバーに、主開口に主ダクトと接続するための主ダクト接続部を設け、前記主ダクト接続部は本体に対して回動するとともに、前記主開口に対して傾いた主ダクト接続口を備えたことにより、送風機から主ダクト接続部までのダクト長やダクトの曲がりを最短にすることができるためダクト圧損が低減でき、消費電力、施工費、部材費、設置スペースの低減および送風機の小型化ができるという作用を有する。
【００１７】
また、請求項３記載の発明は、請求項１または２記載の分岐チャンバーに、ダクト接続部と分岐開口側の本体の接続部分に、フランジ部とこのフランジ部が回動自在に収納されるレール部とからなる回動手段を備えたことにより、ダクト接続部、フランジ部、本体およびレール部が一体的構成によって回動させることができるため、部品点数、製作工数の低減および重量、本体サイズの軽減ができるという作用を有する。また、フランジ部とレール部がかみ合っているため、ダクト接続部に何らかの張力が働いても本体から抜けることを防止できるという作用を有する。
【００１８】
また、請求項４記載の発明は、請求項１、２、または３記載の分岐チャンバーに、ダクト接続部に湾曲部を設け形成したことにより、本体のダクト接続部を回動させてダクトを接続しても前記本体における空気の流入角度または流出角度が変化しないため、圧力損失が一定となり、ダクトの取り付け状態によらず安定した圧力損失を得られ、性能の安定した分岐チャンバーの施工ができ、確実で簡単な空調システム設計を行えるという作用を有する。
【００１９】
また、請求項５記載の発明は、請求項２記載の分岐チャンバーに、主ダクト接続部に湾曲部を設け形成したことにより、本体の主ダクト接続部を回動させて主ダクトを接続しても前記本体における空気の流入角度または流出角度が変化しないため、圧力損失が一定となり、ダクトの取り付け状態によらず安定した圧力損失を得られ、性能の安定した分岐チャンバーの施工ができ、確実で簡単な空調システム設計を行えるという作用を有する。
【００２０】
また、請求項６記載の発明は、請求項１、２、３、４、または５記載の分岐チャンバーに、本体、主ダクト接続部およびダクト接続部はそれぞれが発泡材で成形されたものであり、板金製や樹脂製より断熱性に優れ、冷気や暖気を送風した際、熱ロスの少ない省エネ性の高い送風ができる作用を有する。また、主ダクト接続部、ダクト接続部および本体の風路が圧力損失の生じにくい曲面形状を容易に作成できるため、分岐チャンバーの圧力損失が低減し、消費電力、部材費、設置スペースの低減および送風機の小型化ができるという作用を有する。
【００２１】
以下、本発明の実施の形態について図面を参照しながら説明する。
【００２２】
（実施の形態１）
図１、図２および図３に示すように、本発明の分岐チャンバーは、本体１の一端側には外気を吸引する送風機２と主ダクト３を介して接続される主ダクト接続部４を設け、他端側には本体１に対し異なった方角に位置する建物内の複数の居室に設けた吹き出しグリル５ａ、吹き出しグリル５ｂと、ダクト６ａ、ダクト６ｂを介して接続されるダクト接続部７ａ、ダクト接続部７ｂを備えている。本体１の内部にはＹ字に分岐する風路８を備え、風路８と通じる本体１の他端側には分岐開口９ａと分岐開口９ｂが開口されダクト接続部７ａ、ダクト接続部７ｂが配設されている。風路８と通じる本体１の一端側には主開口１０が開口され主ダクト接続部４が配設されている。ダクト接続部７ａ、ダクト接続部７ｂはそれぞれ分岐開口９ａ、分岐開口９ｂに対し傾斜したダクト接続口７、ダクト接続口１４を備え、それぞれダクト６ａ、ダクト６ｂと接続される。また、主ダクト接続部４は主開口１０に対し傾斜した主ダクト接続口１６を備え主ダクト３と接続される。ダクト接続部７ａ、ダクト接続部７ｂは外方に突出して円形に形成されるフランジ部１１を備えており、本体１は本体下部分割部１２と本体上部分割部１３とで上下に２分割され、フランジ部１１を本体下部分割部１２が備えた略半円形状のレール部１４ａと本体上部分割部１３が備えた略半円形状のレール部１４ｂとで挟み込むことでダクト接続部７ａ、ダクト接続部７ｂを本体１に対して回動自在に保持する。また、主ダクト接続部４は外方に突出して円形に形成される主フランジ部１５を本体下部分割部１２に備えられた主レール部１６ａと本体上部分割部１３に備えられた主レール部１６ｂで挟み込むことで、主ダクト接続部４を本体１に対して回動自在に保持する。
【００２３】
また、本体１、ダクト接続部７ａ、ダクト接続部７ｂおよび主ダクト接続部４のそれぞれは発泡体で成形されている。
【００２４】
また、本体１の主開口１０と連通し分岐する分岐開口は、本実施の形態では分岐開口９ａ、９ｂの２箇所であるが、３箇所以上形成する構成としても本発明と同様の作用、効果を奏するものである。
【００２５】
上記構成において、図１および図２に示すように、送風機２により屋外から吸引され、主ダクト３および主ダクト接続部４を介して主開口１０へ送風される空気１７は、風路８で２分岐した分岐開口９ａおよび分岐開口９ｂを通り、ダクト接続部７ａおよびダクト接続部７ｂと、ダクト６ａおよびダクト６ｂの内部を通って吹き出しグリル５ａおよび吹き出しグリル５ｂから複数の居室内へ給気される。
【００２６】
また、ダクト接続部７ａを吹き出しグリル５ａの方向へ回動しダクト６ａを介して連通させ、さらにダクト接続部７ｂを吹き出しグリル５ｂの方向へ回動しダクト６ｂを介して連通させることで、方角の異なる２居室の吹き出しグリル５ａおよび吹き出しグリル５ｂと直線的な配管ができる。また、方角が同一である２居室に設けられた吹き出しグリル（図示せず）と接続する場合においても、ダクト接続部７ａとダクト接続部７ｂを同一方向へ回動させ、それぞれにダクトを接続して吹き出しグリルと連通させることで直線的な配管施工を行うことができる。このように居室の方向に関わらず直線的な配管ができ、ダクトに無理な湾曲を加えて吹き出しグリルに配管することがなくなる。このため、ダクト長やダクト曲がりを最短にすることができ、ひいてはダクト圧損が低減するため、省消費電力、部材費の低減、送風機の小型化ができ、設置スペースの低減ができることになる。
【００２７】
なお、分岐チャンバー内の送風方向については、主ダクト接続部４へ空気１７が流入しダクト接続部７ａ、ダクト接続部７ｂから吹き出される場合に限らず、ダクト接続部７ａ、ダクト接続部７ｂから流入し、主ダクト接続部４から吹き出される場合においても、本発明の同様の効果を有するものである。また、ダクト接続部７ａ、ダクト接続部７ｂおよび主ダクト接続部４のいずれかについてしか回動する手段を備えていない場合においても回動することによる本発明の効果に差異はないものである。
【００２８】
また、主ダクト接続部４を送風機２の方向へ回動し主ダクト３を介し連通することで直線的な配管ができることにより、設置条件が限定されていて本体１が移動できない場合においても、主ダクト３に無理な外力を加えて湾曲状態で送風機２と配管することが防止でき、ダクト長を最短にでき、ダクト曲がりを最小にすることができ、ひいてはダクト圧損が低減するため、省消費電力、部材費の低減、送風機の小型化ができ、さらには設置スペースの低減ができることになる。
【００２９】
また、ダクト接続部７ａ、ダクト接続部７ｂにフランジ部１１を備え、本体１を本体下部分割部１２と本体上部分割部１３とで上下に２分割し、フランジ部１１を本体下部分割部１２が備えた略半円形状のレール部１４ａと本体上部分割部１３が備えた略半円形状のレール部１４ｂとで挟み込むことでダクト接続部７ａ、ダクト接続部７ｂを本体１に対して回動自在に保持するので、ダクト接続部７ａおよびダクト接続部７ｂと、分岐開口９ａおよび分岐開口９ｂとの間に別途回動手段を設けた場合に比べ、部品点数、大きさ、重量が低減し、さらには製作工数の低減ができる。また、フランジ部１１とレール部１４ａおよびレール部１４ｂが回動自在に嵌合することで、ダクト接続部７ａおよびダクト接続部７ａに何らかの張力が加わった場合においても、本体１から脱落するのを防止できる。また、これらの効果は、主ダクト接続部４の主フランジ部１５と主レール部１６ａとの関係においても同様の効果を奏するものである。
【００３０】
また、本体１、ダクト接続部７ａ、ダクト接続部７ｂおよび主ダクト接続部４が発泡体で成形されることで、板金製や樹脂製に比べ断熱性に優れるため、冷気や暖気を送風した場合に熱ロスの少ない省エネ性の高い送風ができる。また、発泡体は軽量で容易な曲面構成の成型ができるため、部品点数が最小で済み、部材費の低減、本体サイズおよび本体重量の小形化ができる。
【００３１】
（実施の形態２）
図４に示すように、ダクト接続部７ａに湾曲部１８を設け形成し、分岐開口９ａから流入した空気１７が湾曲部１８に沿って滑らかにダクト６ａへ送風される構成とする。
【００３２】
上記構成により、空気１７がダクト接続部７ａを介しダクト６ａへ送風する際に、湾曲部１８に沿って滑らかに送風方向が変化するため、鈍角に曲げている風路に比べ圧力損失が最小で済み、省消費電力、部材費の低減、送風機の小型化ができ、さらには設置スペースの低減ができる。
【００３３】
また、例えば送風方向を鈍角で曲げている風路の場合、ダクト接続部７ａが送風方向と同一方向を向いた状態で施工されるときは極端な圧力損失がなく送風されるが、ダクト接続部７ａが送風方向と略９０°曲がった状態では空気１７が鈍角に曲がった風路に当たり送風方向を変化させるため極端な圧力損失が生じるため、ダクト接続部７ａの向きによってダクト設計を変える必要がありダクト計算が複雑で煩雑になる問題があるが、本実施の形態では送風方向を滑らかに変化させた湾曲部を設けたダクト接続部であるため、ダクト接続部７ａがどの方向に向いて施工されても圧力損失が一定となり安定した圧力損失を得られ、性能の安定した施工が容易にでき、確実な空調システム設計を容易に行える。
【産業上の利用可能性】
【００３４】
本発明は、送風機、換気装置、空調装置と連通して風路を形成する部材として適用され、消費電力、施工費、部材費、設置スペースの低減および送風機の小型化をするのに有用である。
【図面の簡単な説明】
【００３５】
【図１】本発明の実施の形態１の分岐チャンバーの設置状態を示すシステム図
【図２】同分岐チャンバーの構成を示す断面図
【図３】同分岐チャンバーの構成を示す斜視図
【図４】本発明の実施の形態２の分岐チャンバーの構成を示す略断面図
【図５】従来の分岐チャンバーの構成を示す断面図
【符号の説明】
【００３６】
１      本体
３      主ダクト
４      主ダクト接続部
６ａ    ダクト
６ｂ    ダクト
７ａ    ダクト接続部
７ｂ    ダクト接続部
９ａ    分岐開口
９ｂ    分岐開口
１０    主開口
１１    フランジ部
１４ａ  レール部
１４ｂ  レール部
１８    湾曲部
【図１】
2005147503.tif 000003
【図２】
2005147503.tif 000004
【図３】
2005147503.tif 000005
【図４】
2005147503.tif 000006
【図５】
2005147503.tif 000007